(57)【要約】【課題】光学性能を維持しながら、アイレリーフを保ったまま焦点距離を短くすることができ、小型、薄型化に寄与しうる、ファインダー光学系やファインダー光学系を用いた撮像装置に好適な接眼光学系を提供する。【解決手段】ファインダーにおける中間像Ｉｃ位置と瞳Ｅ位置との間に設けられる接眼光学系であって、中間像側から順に、最も中間像側に負レンズＬ１１を配置した第１レンズ群Ｇ１と、光路折り曲げ光学部材Ｐを含み全体で正のパワーを有する第２レンズ群Ｇ２とで構成され、かつ、次の条件式（１）を満足するように構成されている。−２０＜ｓｆ１＜０                                      …（１）但し、ｓｆ１は負レンズＬ１１のシェイピングファクターであってｓｆ１＝（ｒ１１＋ｒ１２）／（ｒ１１−ｒ１２）で示される。ｒ１１は負レンズＬ１１における中間像側の面の曲率半径、ｒ１２は負レンズＬ１１における瞳側の面の曲率半径である。【選択図】  図３
2004157477.tif 000002
【特許請求の範囲】
【請求項１】
ファインダーにおける中間像位置と瞳位置との間に設けられる接眼光学系であって、
中間像側から順に、最も中間像側に負レンズを配置した第１レンズ群と、光路折り曲げ光学部材を含み全体で正のパワーを有する第２レンズ群とで構成され、かつ、次の条件式を満足することを特徴とする接眼光学系。
−２０＜ｓｆ１＜０
但し、ｓｆ１は前記負レンズのシェイピングファクターであってｓｆ１＝（ｒ１１＋ｒ１２）／（ｒ１１−ｒ１２）で示される。ｒ１１は前記負レンズにおける中間像側の面の曲率半径、ｒ１２は前記負レンズにおける瞳側の面の曲率半径である。
【請求項２】
次の条件式を満足することを特徴とする請求項１に記載の接眼光学系。
０．１＜ｆｅ／ｌｅ＜１
但し、ｆｅは接眼光学系の焦点距離、ｌｅは接眼光学系のアイレリーフである。
【請求項３】
前記第１レンズ群を構成する少なくとも一つのレンズが、光軸方向に移動して視度調整を行う視度調整光学系であり、かつ、次の条件式を満足することを特徴とする請求項１又は２に記載の接眼光学系。
０．１＜｜ｐｄ／ｐｅ｜＜０．７
但し、ｐｄは視度調整光学系のパワー、ｐｅは接眼光学系全系のパワーである。
【発明の詳細な説明】
【０００１】
【発明の属する技術分野】
本発明は、ファインダー光学系を備えた撮像装置やファインダー光学系に用いる接眼光学系に関し、特に小型、薄型の撮像装置に好適なファインダーの接眼光学系に関するものである。
【０００２】
【従来の技術】
従来、この種の接眼光学系としては、中間像直後のレンズにおける中間像側の面が凹面で構成されたもの（例えば、特許文献１参照）、中間像直後のレンズが負レンズで構成されたもの（例えば、特許文献２参照）、レトロフォーカスタイプに構成されたもの（例えば、特許文献３参照）、折り曲げ型に構成されたもの（例えば、特許文献４，５参照）などがある。
【０００３】
【特許文献１】
特開平１１−６４７４４号公報（第１−７頁、図１，３，４，５）
【特許文献２】
特開平１０−３１１９５７号公報（第２−７頁、図１，３，４，５）
【特許文献３】
特開平７−２９５０３４号公報（第１−６頁、図１，２）
【特許文献４】
特開平７−５３６０号公報（第１−２頁、図１）
【特許文献５】
特開平８−２２０４８号公報（第１−２頁、図１）
【０００４】
【発明が解決しようとする課題】
しかし、特許文献１，２に記載の接眼光学系は、撮影光学系による実像の中間結像面側から、正レンズ群、負レンズ群の順で配置されたテレフォトタイプで構成されている。このため、小型化のために焦点距離を短くしていくと適切なアイレリーフを保つことが出来なくなり、非常に見づらい接眼装置となってしまう。また、小型化のために焦点距離を短くし、且つ、適切なアイレリーフを保とうとすると、接眼光学系の光線高が高くなるため、結局小型化することができない。
【０００５】
また、特許文献３に記載の接眼光学系は、負レンズが中間像（ファインダースクリーン６）の直後ではなく、プリズム（ペンタプリズム５）の後に配置されている。このため、適切なアイレリーフを保ったまま接眼光学系の焦点距離を短くするというレトロフォーカスタイプの効果を十分に発揮することができない。
【０００６】
また、特許文献４に記載の接眼光学系は、単に正レンズの組み合わせ（反射部材Ｐ３と接眼レンズＧ４）で構成されている。このため、小型化のために焦点距離を短くしていくと適切なアイレリーフを保つことが出来なくなり、より小型の装置には適さない。また、接眼光学系において、プリズム（反射部材Ｐ３）の側面にレンズ（接眼レンズＧ４）が配置されているので、折り曲げても薄型化に限界がある。
【０００７】
また、特許文献５に記載の接眼光学系は、中間結像面近傍に配置された視度調整光学系（フィールドレンズ成分１２）が正のパワーを有している。このため、小型化のために焦点距離を短くしていくと、適切なアイレリーフを保つことが出来なくなり、より小型の装置には適さない。
【０００８】
本発明は従来技術のこのような問題点に鑑みてなされたものであり、光学性能を維持しながら、適切なアイレリーフを保ったまま焦点距離を短くすることができ、小型、薄型化に寄与しうる接眼光学系を提供することを目的とする。また、ファインダー光学系や撮像装置のファインダー光学系に用いることで、光学性能を維持しながら、適切なアイレリーフを保ったまま焦点距離を短くすることができ、小型、薄型化に寄与しうるファインダー光学系や撮像装置とすることが可能な接眼光学系を提供することを目的とする。
【０００９】
【課題を解決するための手段】
上記目的を達成するために、本発明による接眼光学系は、ファインダーにおける中間像位置と瞳位置との間に設けられる接眼光学系であって、中間像側から順に、最も中間像側に負レンズを配置した第１レンズ群と、光路折り曲げ光学部材を含み全体で正のパワーを有する第２レンズ群とで構成され、かつ、次の条件式（１）を満足することを特徴としている。
−２０＜ｓｆ１＜０                                      …（１）
但し、ｓｆ１は前記負レンズのシェイピングファクターであってｓｆ１＝（ｒ１１＋ｒ１２）／（ｒ１１−ｒ１２）で示される。ｒ１１は前記負レンズにおける中間像側の面の曲率半径、ｒ１２は前記負レンズにおける瞳側の面の曲率半径である。
【００１０】
【発明の実施の形態】
実施例の説明に先立ち、本発明の作用効果について説明する。
本発明の接眼光学系では、中間像の直後に負レンズを配置することで、接眼光学系全体としてレトロフォーカスタイプを実現している。
このように構成すれば、小型のファインダー光学系を実現するために撮像光学系の焦点距離を短くしても、アイレリーフを保ったまま接眼光学系の焦点距離を短くすることができ、ファインダー倍率が小さくならずに済み、見やすさを確保することができる。
さらに、レトロフォーカスタイプで焦点距離は短いので、同じ視野角のまま中間像を小さくすることができ、その結果、小型のファンイダー装置が実現可能となる。
【００１１】
条件式（１）は負レンズの形状を規定する条件式である。条件式（１）を満足すれば、収差補正の発生を少なくし、収差補正によるレンズ枚数の増加及び大型化を防ぐことができる。
条件式（１）の上限値を上回ると、瞳側の面のパワーが大きくなり、該瞳側の面で発生するコマ収差が大きくなり好ましくない。
一方、条件式（１）の下限値を下回ると、中間像側の面のパワーが大きくなり、該中間像側の面で軸外光の収差、特に非点隔差の発生量が大きくなり好ましくない。
【００１２】
なお、次の条件式（１’）を満足するのがより好ましい。
−１２＜ｓｆ１＜０                                      …（１’）
更に、次の条件式（１”）を満足するのがより一層好ましい。
−５＜ｓｆ１＜０                                        …（１”）
上記条件式（１’），（１”）を満足すれば、収差の発生がより小さくなる。
【００１３】
また、本発明の接眼光学系においては、次の条件式（２）を満足するのが好ましい。
０．１＜ｆｅ／ｌｅ＜１                                  …（２）
但し、ｆｅは接眼光学系の焦点距離、ｌｅは接眼光学系のアイレリーフである。
条件式（２）は接眼光学系の焦点距離とアイレリーフの比を示し、接眼光学系最終面の有効径の大きさを規定する条件式である。中間像の大きさと焦点距離によって視野角が決まり、その視野角に対してアイレリーフを設定することで接眼光学系最終面の有効径が決定される。
条件式（２）を満足すれば、十分な視野角で小さな有効径を達成できるため、小型のファインダー装置を実現できる。
条件式（２）の上限値を上回ると、焦点距離が長いため、小型化のために中間像を小さくすると十分な視野角を確保できない。更に、アイレリーフが短いので好ましくない。
一方、条件式（２）の下限値を下回ると、焦点距離が短いので、中間像が小さくても十分な視野角を確保できるが、アイレリーフが長いため、接眼光学系の最も瞳側のレンズの有効径が大きくなり、小型化が達成できない。
【００１４】
なお、次の条件式（２’）を満足するのがより好ましい。
０．５＜ｆｅ／ｌｅ＜１                                  …（２’）
更に、次の条件式（２”）を満足するのがより一層好ましい。
０．７＜ｆｅ／ｌｅ＜１                                  …（２”）
上記条件式（２’），（２”）を満足すれば、接眼光学系に必要なパワーが大きくなく、収差補正上好ましい。
【００１５】
また、本発明の接眼光学系においては、前記第１レンズを構成する少なくとも一つのレンズが、光軸方向に移動して視度調整を行う光学系であり、かつ、次の条件式（３）を満足するのが好ましい。
０．１＜｜ｐｄ／ｐｅ｜＜０．７                          …（３）
但し、ｐｄは視度調整光学系のパワー、ｐｅは接眼光学系全系のパワーである。
【００１６】
中間像の直後に視度調整光学系を配置すれば、プリズムの最終面以降にレンズを配置する必要がなくなり、ファインダー装置としての厚さを抑えることができる。
ここで、条件式（３）は、視度調整光学系のパワーを規定するものである。
条件式（３）を満足すれば、視度調整光学系が正のパワーを有するときは、視度調整光学系とそれ以外の光学系とでパワーのバランスをとることで収差を容易に補正することが出来る。視度調整光学系が負のパワーを有するときは、視度調整光学系を中間像側に配置することでレトロフォーカスタイプを実現することができる。このようにすることで、コマ収差の補正と小型化を両立することができる。
条件式（３）の上限値を上回ると、視度調整光学系が正のパワーを有するときは、視度調整光学系にパワーが集中するため、視度調整時に発生する収差、特にコマ収差の変動が大きくなり好ましくない。また、視度調整光学系が負のパワーを有するときは、小型化のために接眼光学系の焦点距離を短くする必要性から視度調整光学系以外の光学系に正のパワーが集中してしまい、少ないレンズ枚数では補正しきれないコマ収差が大きく発生してしまう。
一方、条件式（３）の下限値を下回ると、視度調整光学系のパワーが正負に関わらず、視度調整光学系のパワーが弱いために視度調整時に必要となる移動量が大きくなり、接眼光学系が大きくなってしまうため好ましくない。
【００１７】
なお、次の条件式（３’）を満足するのがより好ましい。
０．１＜｜ｐｄ／ｐｅ｜＜０．５                          …（３’）
更に、次の条件式（３”）を満足するのがより一層好ましい。
０．１＜｜ｐｄ／ｐｅ｜＜０．３                          …（３”）
上記条件式（３’），（３”）を満足すれば、接眼光学系のパワーが小さく、視度調整時に発生する収差、特にコマ収差の変動を抑えることができ好ましい。
【００１８】
また、本発明の接眼光学系においては、中間像から第２番目のレンズが正のパワーを有するのが好ましい。
中間像から第２番目のレンズを正レンズで構成すると、中間像から最も近い負レンズで発生した収差を補正することが容易になる。
中間像から第２番目のレンズが負のパワーを有していると、最も中間像側のレンズと中間像から第２番目のレンズとが負のパワーを有することになるので、軸外光線高が高くなってしまい小型化できない。また、軸外光線高が高くならないようにパワーの小さいレンズを最も中間像側のレンズと中間像から第２番目のレンズに用いても、第２番目のレンズを正レンズとした場合に比べて収差、特に球面収差やコマ収差の発生が大きくなってしまう。
【００１９】
また、本発明の接眼光学系においては、次の条件式（４）を満足するのが好ましい。
０＜ｓｆ２＜２０                                        …（４）
但し、ｓｆ２は前記中間像から第２番目のレンズのシェイピングファクターであってｓｆ２＝（ｒ２１＋ｒ２２）／（ｒ２１−ｒ２２）で示される。ｒ２１は前記中間像から第２番目のレンズにおける中間像側の面の曲率半径、ｒ２２は前記中間像から第２番目のレンズにおける瞳側の面の曲率半径である。
条件式（４）は中間像から第２番目の正レンズの形状を規定するものである。
中間像から第２番目の正レンズが条件式（４）を満足すれば、軸外収差、特に非点隔差とコマ収差の発生を少なくすることができる。
条件式（４）の上限値を上回ると、中間像から第２番目のレンズが正メニスカスレンズで、瞳側の面のパワーが大きくなり、軸外主光線高が高いために発生する非点隔差とコマ収差が大きくなってしまう。
一方、条件式（４）の下限値を下回ると、中間像から第２番目のレンズが正レンズで瞳側の面のパワーに比べて中間像側の面のパワーが大きくなり、軸外主光線高が高いために発生する収差が大きくなる。さらに、第２レンズの中間像側の面の曲率半径と最も中間像側のレンズの瞳側の面の曲率半径との差が大きくなると、中間像から第２番目のレンズの中間像側の面で非点隔差も大きく発生してしまう。
【００２０】
なお、次の条件式（４’）を満足するのがより好ましい。
０＜ｓｆ２＜１５                                        …（４’）
更に、次の条件式（４”）を満足するのがより一層好ましい。
０＜ｓｆ２＜３                                          …（４”）
上記条件式（４’），（４”）を満足すれば、収差発生量がより少なくなるため、好ましい。
【００２１】
また、本発明の接眼光学系においては、前記第１レンズ群が前記最も中間像側のレンズと、前記中間像から第２番目のレンズを含み、これらのレンズが光軸方向に移動して視度調整を行う視度調整光学系であるのが好ましい。
視度調整光学系が負正のパワーを有するレンズを同時に含むように構成するとと、収差変動を小さくすることが可能となる。
【００２２】
また、本発明の接眼光学系においては、前記最も中間像側のレンズと前記中間像から第２番目のレンズとが接合されて接合レンズとして構成されているのが好ましい。
接合レンズで構成すると、組み立てが容易となり、しかも、軸外主光線高が高いので、十分に倍率色収差補正を抑えることができる。
【００２３】
また、本発明の接眼光学系においては、前記中間像から第２番目のレンズの瞳側に回折面を有するのが好ましい。
本発明においては負レンズと正レンズが中間像から順に配置されている。このため、中間像から第２番目のレンズの瞳側は光束径が大きく、且つ主光線の入射角が小さくなる傾向となり、回折効率の低下を設計的に回避でき、回折光学素子に適した面である。さらに、中間像から第２番目のレンズの瞳側の面は軸外主光線高が高いので、小さな回折面のパワーで十分に倍率色収差を抑えることができる。
【００２４】
また、本発明の接眼光学系においては、接眼光学系内での光路の折り曲げ回数が２回であるのが好ましい。
対物光学系に折り曲げ型の光学系を用いると、接眼光学系での反射回数が減少するために、接眼光学系の光路長を短くすることができる。そのため、焦点距離を短くすることができ、十分な視野角とファインダー倍率を確保しながら小型化できる。
その場合、接眼光学系内での光路折り曲げ回数を少なくすれば、光学系に必要とされる光路長が短くなり、接眼光学系の焦点距離を短くすることができるので、十分に視野角を確保することが可能となり、より小型のファインダーを実現することが可能となる。
しかし、反射回数が１回以下であると、中間像を形成する撮像光学系もしくは対物光学系の反射回数が３回以上となり、それに伴い光路長が長くなるため焦点距離も長くなる。その結果、装置全体の大型化につながり好ましくない。
【００２５】
また、本発明の接眼光学系を用いた実像式ファインダー光学系においては、次の条件式（５）を満足するのが好ましい。
６＜ｌｅ／ｃｈ＜１０                                    …（５）
但し、ｌｅは接眼光学系のアイレリーフ、ｃｈは中間像高である。
条件式（５）は中間像の大きさに対するアイレリーフの長さを規定するもので、最適な小型実像式ファインダーを提供するための条件式である。
条件式（５）を満足すれば、アイレリーフを保ったまま中間像高を低く抑えることによって、見やすく小型の実像式ファインダーを実現することができる。
条件式（５）の上限値を上回ると、中間像が小さく且つアイレリーフが長い条件となり、接眼光学系の焦点距離を非常に小さくする必要がある。しかし、人間の瞳径はほぼ同じ大きさであり、焦点距離が小さいと非常に明るいレンズが必要となり好ましくない。さらに、非常に小さい焦点距離で良好な性能を確保するためにはレンズ枚数を増やさなければならず、結果的に小型化を達成できない。
一方、条件式（５）の下限値を下回ると、アイレリーフに対して中間像が大きく、接眼光学系が大きくなってしまう。また、ＮＡが大きくなり接眼光学系に多くの光量が必要となるので好ましくない。
【００２６】
なお、次の条件式（５’）を満足するのがより好ましい。
６＜ｌｅ／ｃｈ＜９                                      …（５’）
更に、次の条件式（５”）を満足するのがより一層好ましい。
６＜ｌｅ／ｃｈ＜７．７                                  …（５”）
上記条件式（５’），（５”）を満足すれば、接眼光学系に必要なパワーが大きく、しかも収差発生量が少ないため、少ないレンズ枚数で収差を補正することができる。
【００２７】
また、本発明の接眼光学系を用いた実像式ファインダー光学系は、中間像を結像する対物光学系と、本発明の接眼光学系を有し、前記対物光学系の最も中間像側のレンズが正のパワーを有することを特徴とする。
対物光学系の最も中間像側に正レンズを配置すると、中間像高を低く抑え、且つ、接眼光学系での光線高を低く抑えることが出来る。そのため、より小型のファインダー光学系を実現することが可能となる。
【００２８】
また、本発明の接眼光学系を用いた実像式変倍ファインダー光学系においては、少なくとも、負のパワーを有し一面の反射面を有する第１レンズ群と、変倍のために可動で正のパワーを有する第２レンズ群とを有し、最も中間像側の最終群が正のパワーを有し一面の反射面を有するのが好ましい。
薄型のファインダーを実現するためには折り曲げ型であり、且つ、有効径を小さくするのが望ましい。そのためには、最も物体側の群を負のパワーにして、特に広角端での軸外光線高を低く抑えることが好ましい。また、第１群のパワーが負であるため、収差補正上、第２群のパワーは正であるのが望ましい。更に、最も像側の最終群が正のパワーを有することで、中間像高を低く抑え、且つ、接眼光学系での光線高を低く抑えることができる。そのため、より小さなファインダー光学系を実現することが可能となる。
【００２９】
また、本発明のファインダー光学系は、撮影光学系として用いられる前記対物光学系を介して結像された被写体の実像を観察するＴＴＬファインダー光学系であって、次の条件式（６）を満足するのが好ましい。
０．５＜ｃｈ＜２．６                                    …（６）
但し、ｃｈは中間像高である。
条件式（６）を満足すると、薄型且つ小型のファインダー光学系を実現することができる。
条件式（６）の上限値を上回ると、光学系の径が大きくなるため薄くできない。
一方、条件式（６）の下限値を下回ると、ＮＡが大きくなり光学系に多くの光量が必要となるので好ましくない。
【００３０】
なお、上記各条件式や各構成は適宜組み合せることで、より良好なファインダー光学系を構成できる。
また、各条件式においては、その上限値のみ、もしくは下限値のみを、より好ましい条件式の対応する上限値、下限値で限定してもよい。また、後述の各実施例に記載の条件式の対応値を上限値または下限値としてもよい。
また、このようなファインダー光学系を備えた撮像装置とすれば、より薄型、小型の撮像装置を実現できる。
【００３１】
【実施例】
以下、本発明の実施例について図面を用いて説明する。
図１は本発明の接眼光学系を用いた一眼レフファインダー光学系の概略構成を示す説明図、図２は本発明の接眼光学系を用いた実像式ファインダー光学系の概略構成を示す説明図である。
図１の一眼レフファインダーは、対物光学系を兼ねている撮像光学系Ｌｏに入射した光束が、光学部材ｒｏ１の反射面ｒｏ１１で反射した後、光学系Ｌｏ１を経由し、分光手段ｒｏ２の光路分割面ｒｏ２１を介して中間結像面Ｉｃ側と撮像面Ｉ側とに分光され、夫々の面で結像する。また、中間結像面Ｉｃに結像した光束が、２面の反射面を有する接眼光学系Ｌｉを経由し、瞳Ｅに到達するように構成されている。
図２の実像式ファインダー光学系は、対物光学系Ｌｏに入射した光束が、光学部材ｒｏ１の反射面ｒｏ１１で反射した後、光学系Ｌｏ１を経由し、光学部材ｒｏ２の反射面ｒｏ２１で中間結像面Ｉｃに結像する。また、中間結像面Ｉｃに結像した光束が、２面の反射面を有する接眼光学系Ｌｉを経由し、瞳Ｅに到達するように構成されている。
本発明の接眼光学系は、図１又は図２のいずれのタイプのファインダー光学系にも適用可能である。以下の実施例では、上記いずれかのタイプのファインダー光学系に適用する接眼光学系として説明する。
【００３２】
また、以下の実施例における回折光学素子を含む光学系の設計方法としては、ウルトラハイデックス方法を用いている。具体的には厚みが０で、波長５８７．５６ｎｍのときの仮想屈折率を１００１とし、回折面と厚みが０で接する面の形状をＤＯＥの基本形状とする。そして、実際の製造においては、回折面の曲率と基板形状との差及び屈折率から位相変化を求め、この位相変化をグレーティングのピッチに換算して基板表面上にグレーティングを形成している。
【００３３】
第１実施例
図３は本発明の第１実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。なお、ｄｐはディオプタのことである。図４は第１実施例における−１ｄｐでの球面収差、非点収差、倍率色収差、歪曲収差及びコマ収差を示す図である。なお、ＩＨは像高である。
【００３４】
本実施例の接眼光学系は、図３に示すように、中間像Ｉｃと瞳Ｅとの間に設けられていて、中間像側から順に、第１レンズ群Ｇ１と、第２レンズ群Ｇ２とで構成されている。
第１レンズ群Ｇ１は、中間像側から順に、中間像側に凹面を向けた負メニスカスレンズＬ１１と、両凸正レンズＬ１２とで構成されており、全体で正のパワーを有している。
負メニスカスレンズＬ１１と、両凸正レンズＬ１２は、光軸方向に移動して視度調整を行う視度調整光学系を構成している。
第２レンズ群Ｇ２は、光路折り曲げプリズムＰで構成されており、全体で正のパワーを有している。
光路折り曲げプリズムＰは、図１に示すような２つの反射面Ｐ１，Ｐ２を有しており、接眼光学系Ｌｉ内における光路を２回折り曲げている。
【００３５】
次に、本実施例にかかる接眼光学系を構成している光学部材の数値データを示す。本実施例の数値データにおいて、ｒ１、ｒ２、…は各レンズ面またはプリズム面の曲率半径、ｄ１、ｄ２、…は各レンズまたはプリズムの肉厚または空気間隔、ｎｄ１、ｎｄ２、…は各レンズまたはプリズムのｄ線での屈折率、νｄ１、νｄ２、…は各レンズまたはプリズムのアッべ数を表している。
なお、非球面形状は、光軸方向をｚ、光軸に直交する方向をｙにとり、円錐係数をＫ、非球面係数をＡ４、Ａ６、Ａ８、Ａ１０としたとき、次の式で表される。
Ｚ＝（ｙ２／ｒ）／［１＋｛１−（１＋Ｋ）・（ｙ／ｒ）２｝１／２］＋Ａ４ｙ４＋Ａ６ｙ６＋Ａ８ｙ８＋Ａ１０ｙ１０
なお、これらの記号は後述の実施例の数値データにおいても共通である。
【００３６】
2004157477.tif 000003
【００３７】
2004157477.tif 000004
【００３８】
第２実施例
図５は本発明の第２実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。図６は第２実施例における−１ｄｐでの球面収差、非点収差、倍率色収差、歪曲収差及びコマ収差を示す図である。
【００３９】
図５に示すように、本実施例の接眼光学系は、中間像Ｉｃと瞳Ｅとの間に設けられていて、中間像側から順に、第１レンズ群Ｇ１と、第２レンズ群Ｇ２とで構成されている。
第１レンズ群Ｇ１は、中間像側から順に、両凹負レンズＬ１１’と、両凸正レンズＬ１２とで構成されており、全体で正のパワーを有している。
両凹負レンズＬ１１’と、両凸正レンズＬ１２は、光軸方向に移動して視度調整を行う視度調整光学系を構成している。
第２レンズ群Ｇ２は、光路折り曲げプリズムＰで構成されており、全体で正のパワーを有している。
光路折り曲げプリズムＰは、図１に示すような２つの反射面Ｐ１，Ｐ２を有しており、接眼光学系Ｌｉ内における光路を２回折り曲げている。
【００４０】
次に、本実施例にかかる接眼光学系を構成している光学部材の数値データを示す。
2004157477.tif 000005
【００４１】
2004157477.tif 000006
【００４２】
第３実施例
図７は本発明の第３実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。図８は第３実施例における−１ｄｐでの球面収差、非点収差、倍率色収差及び歪曲収差を示す図である。
【００４３】
本実施例の接眼光学系は、図７に示すように、中間像Ｉｃと瞳Ｅとの間に設けられていて、中間像側から順に、第１レンズ群Ｇ１と、第２レンズ群Ｇ２とで構成されている。
第１レンズ群Ｇ１は、中間像側から順に配置された両凹負レンズＬ１１’と両凸正レンズＬ１２との接合レンズで構成されており、全体で正のパワーを有している。
両凹負レンズＬ１１’と両凸正レンズＬ１２との接合レンズは、光軸方向に移動して視度調整を行う視度調整光学系を構成している。
第２レンズ群Ｇ２は、光路折り曲げプリズムＰで構成されており、全体で正のパワーを有している。
光路折り曲げプリズムＰは、図１に示すような２つの反射面Ｐ１，Ｐ２を有しており、接眼光学系Ｌｉ内における光路を２回折り曲げている。
【００４４】
次に、本実施例にかかる接眼光学系を構成している光学部材の数値データを示す。
2004157477.tif 000007
【００４５】
2004157477.tif 000008
【００４６】
第４実施例
図９は本発明の第４実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。
【００４７】
本実施例の接眼光学系は、図９に示すように、中間像Ｉｃと瞳Ｅとの間に設けられていて、中間像側から順に、第１レンズ群Ｇ１と、第２レンズ群Ｇ２とで構成されている。
第１レンズ群Ｇ１は、中間像側から順に、中間像側に凹面を向けた負メニスカスレンズＬ１１と、両凸正レンズＬ１２とで構成されており、全体で正のパワーを有している。
負メニスカスレンズＬ１１と、両凸正レンズＬ１２は、光軸方向に移動して視度調整を行う視度調整光学系を構成している。
両凸正レンズＬ１２は、瞳側の面が回折光学面（ここでは、ＤＯＥ面）で構成されている。
第２レンズ群Ｇ２は、光路折り曲げプリズムＰで構成されており、全体で正のパワーを有している。
光路折り曲げプリズムＰは、図１に示すような２つの反射面Ｐ１，Ｐ２を有しており、接眼光学系Ｌｉ内における光路を２回折り曲げている。
【００４８】
次に、本実施例にかかる接眼光学系を構成している光学部材の数値データを示す。
2004157477.tif 000009
【００４９】
2004157477.tif 000010
【００５０】
第５実施例
図１０は本発明の第５実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。図１１は第５実施例における−１ｄｐでの球面収差、非点収差、倍率色収差及び歪曲収差を示す図である。
【００５１】
本実施例の接眼光学系は、図１０に示すように、中間像Ｉｃと瞳Ｅとの間に設けられていて、中間像側から順に、第１レンズ群Ｇ１と、第２レンズ群Ｇ２とで構成されている。
第１レンズ群Ｇ１は、中間像側から順に、両凹負レンズＬ１１’と、両凸正レンズＬ１２とで構成されており、全体で負のパワーを有している。
両凹負レンズＬ１１’と、両凸正レンズＬ１２は、光軸方向に移動して視度調整を行う視度調整光学系を構成している。
第２レンズ群Ｇ２は、ペンタダハプリズムＰ’で構成されており、全体で正のパワーを有している。
ペンタダハプリズムＰ’は、２つの反射面（図示省略）を有しており、接眼光学系内における光路を２回折り曲げている。
【００５２】
次に、本実施例にかかる接眼光学系を構成している光学部材の数値データを示す。
2004157477.tif 000011
【００５３】
2004157477.tif 000012
【００５４】
第６実施例
図１２は本発明の第６実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。図１３は第６実施例における−１ｄｐでの球面収差、非点収差、倍率色収差及び歪曲収差を示す図である。
【００５５】
本実施例の接眼光学系は、図１２に示すように、中間像Ｉｃと瞳Ｅとの間に設けられていて、中間像側から順に、第１レンズ群Ｇ１と、第２レンズ群Ｇ２とで構成されている。
第１レンズ群Ｇ１は、中間像側から順に、両凹負レンズＬ１１’と、両凸正レンズＬ１２とで構成されており、全体で負のパワーを有している。
両凹負レンズＬ１１’と、両凸正レンズＬ１２は、光軸方向に移動して視度調整を行う視度調整光学系を構成している。
第２レンズ群Ｇ２は、中間像側から順に、光路折り曲げプリズムＰと、中間像側に凹面を向けた正メニスカスレンズＬ２１とで構成されており、全体で正のパワーを有している。
光路折り曲げプリズムＰは、図１に示すような２つの反射面Ｐ１，Ｐ２を有しており、接眼光学系Ｌｉ内における光路を２回折り曲げている。
【００５６】
次に、本実施例にかかる接眼光学系を構成している光学部材の数値データを示す。
2004157477.tif 000013
【００５７】
2004157477.tif 000014
【００５８】
第７実施例
図１４は本発明の第７実施例にかかる接眼光学系を用いた実像式ファインダー光学系のレンズ構成を示す光軸に沿う断面図であり、（ａ）は広角端、（ｂ）は中間、（ｃ）は望遠端での状態を示している。図１５は第７実施例における球面収差、非点収差、倍率色収差及び歪曲収差を示す図であり、（ａ）は広角端、（ｂ）は中間、（ｃ）は望遠端での状態を示している。
【００５９】
図１４に示すように、本実施例のファインダー光学系は、中間像を結像する対物光学系Ｌｏと、接眼光学系Ｌｉとを有して構成されている。
対物光学系Ｌｏは、物体側から順に、第１レンズ群Ｇｏ１と、第２レンズ群Ｇｏ２と、第３レンズ群Ｇｏ３と、第４レンズ群Ｇｏ４とで構成されている。
第１レンズ群Ｇｏ１は、図２に示すような反射面ｒｏ１１を一つ有する光学部材ｒｏ１で構成されており、全体で負のパワーを有している。
第２レンズ群Ｇｏ２は、両凸正レンズＬｏ２で構成されている。両凸正レンズＬｏ２は、変倍のために可動に構成されている
第３レンズ群Ｇｏ３は、両凸正レンズＬｏ３で構成されている。
両凸正レンズＬｏ２と、両凸正レンズＬｏ３は、図２に示す光学系Ｌｏ１を構成している。
第４レンズ群Ｇｏ４は、図２に示すような反射面ｒｏ２１を一つ有する光学部材ｒｏ２で構成されている。光学部材ｒｏ２は正のパワーを有している。
接眼光学系Ｌｉは、中間像Ｉｃと瞳Ｅとの間に設けられていて、中間像側から順に、第１レンズ群Ｇ１と、第２レンズ群Ｇ２とで構成されている。
第１レンズ群Ｇ１は、中間像側から順に、両凹負レンズＬ１１’と、中間像側に凹面を向けた正メニスカスレンズＬ１２’とで構成されており、全体で正のパワーを有している。
両凹負レンズＬ１１’と、正メニスカスレンズＬ１２’は、光軸方向に移動して視度調整を行う視度調整光学系を構成している。
第２レンズ群Ｇ２は、光路折り曲げプリズムＰで構成されており、全体で正のパワーを有している。
光路折り曲げプリズムＰは、図２に示すような２つの反射面Ｐ１，Ｐ２を有しており、接眼光学系Ｌｉ内における光路を２回折り曲げている。
【００６０】
次に、本実施例にかかるファインダー光学系を構成している光学部材の数値データを示す。
2004157477.tif 000015
【００６１】
2004157477.tif 000016
2004157477.tif 000017
【００６２】
第８実施例
図１６は本発明の第８実施例にかかる接眼光学系を用いた実像式ファインダー光学系のレンズ構成を示す光軸に沿う断面図であり、（ａ）は広角端、（ｂ）は中間、（ｃ）は望遠端での状態を示している。図１７は第８実施例における球面収差、非点収差、倍率色収差及び歪曲収差を示す図であり、（ａ）は広角端、（ｂ）は中間、（ｃ）は望遠端での状態を示している。
【００６３】
本実施例のファインダー光学系は、図１６に示すように、中間像を結像する対物光学系Ｌｏと接眼光学系Ｌｉを有して構成されている。
対物光学系Ｌｏは、物体側から順に、第１レンズ群Ｇｏ１と、第２レンズ群Ｇｏ２と、第３レンズ群Ｇｏ３と、第４レンズ群Ｇｏ４とで構成されている。
第１レンズ群Ｇｏ１は、図２に示すような反射面ｒｏ１１を一つ有する光学部材ｒｏ１で構成されており、全体で負のパワーを有している。
第２レンズ群Ｇｏ２は、両凸正レンズＬｏ２で構成されている。両凸正レンズＬｏ２は、変倍のために可動に構成されている。
第３レンズ群Ｇｏ３は、両凸正レンズＬｏ３で構成されている。
第４レンズ群Ｇｏ４は、図２に示すような反射面ｒｏ２１を一つ有する光学部材ｒｏ２で構成されている。光学部材Ｒｏ２は、正のパワーを有している。
接眼光学系Ｌｉは、中間像Ｉｃと瞳Ｅとの間に設けられていて、中間像側から順に、第１レンズ群Ｇ１と、第２レンズ群Ｇ２とで構成されている。
第１レンズ群Ｇ１は、中間像側から順に、中間像側に凹面を向けた負メニスカスレンズＬ１１と、中間像側に凹面を向けた正メニスカスレンズＬ１２’と、中間像側に凹面を向けた正メニスカスレンズＬ１３とで構成されており、全体で正のパワーを有している。
負メニスカスレンズＬ１１と、正メニスカスレンズＬ１２’と、正メニスカスレンズＬ１３は、光軸方向に移動して視度調整を行う視度調整光学系を構成している。
第２レンズ群Ｇ２は、光路折り曲げプリズムＰで構成されており、全体で正のパワーを有している。
光路折り曲げプリズムＰは、図２に示すような２つの反射面Ｐ１，Ｐ２を有しており、接眼光学系Ｌｉ内における光路を２回折り曲げている。
【００６４】
次に、本実施例にかかるファインダー光学系を構成している光学部材の数値データを示す。
2004157477.tif 000018
2004157477.tif 000019
【００６５】
2004157477.tif 000020
2004157477.tif 000021
【００６６】
第９実施例
図１８は本発明の第９実施例にかかる接眼光学系を用いた実像式ファインダー光学系のレンズ構成を示す光軸に沿う断面図であり、（ａ）は広角端、（ｂ）は中間、（ｃ）は望遠端での状態を示している。図１９は第９実施例における球面収差、非点収差、倍率色収差及び歪曲収差を示す図であり、（ａ）は広角端、（ｂ）は中間、（ｃ）は望遠端での状態を示している。
【００６７】
本実施例のファインダー光学系は、図１８に示すように、中間像を結像する対物光学系Ｌｏと接眼光学系Ｌｉを有して構成されている。
対物光学系Ｌｏは、物体側から順に、第１レンズ群Ｇｏ１と、第２レンズ群Ｇｏ２と、第３レンズ群Ｇｏ３と、第４レンズ群Ｇｏ４とで構成されている。
第１レンズ群Ｇｏ１は、図２に示すような反射面ｒｏ１１を一つ有する光学部材ｒｏ１で構成されており、全体で負のパワーを有している。
第２レンズ群Ｇｏ２は、両凸正レンズＬｏ２で構成されている。両凸正レンズＬｏ２は、変倍のために可動に構成されている。
第３レンズ群Ｇｏ３は、両凸正レンズＬｏ３で構成されている。
第４レンズ群１Ｇ４は、図２に示すような反射面ｒｏ２１を一つ有する光学部材ｒｏ２で構成されている。光学部材ｒｏ２は、正のパワーを有している。
接眼光学系Ｌｉは、中間像Ｉｃと瞳Ｅとの間に設けられていて、中間像側から順に、第１レンズ群Ｇ１と、第２レンズ群Ｇ２とで構成されている。
第１レンズ群Ｇ１は、両凹負レンズＬ１１’で構成されている。
両凹負レンズＬ１１’は、光軸方向に移動して視度調整を行う視度調整光学系を構成している。
第２レンズ群２Ｇ２は、中間像側から順に、中間像側に凹面を向けた正メニスカスレンズＬ２１と、光路折り曲げプリズムＰとで構成されており、全体で正のパワーを有している。
光路折り曲げプリズムＰは、図２に示すような２つの反射面Ｐ１，Ｐ２を有しており、接眼光学系Ｌｉ内における光路を２回折り曲げている。
【００６８】
次に、本実施例にかかるファインダー光学系を構成している光学部材の数値データを示す。
2004157477.tif 000022
【００６９】
2004157477.tif 000023
2004157477.tif 000024
【００７０】
第１０実施例
図２０は本発明の第１０実施例にかかる接眼光学系を用いた実像式ファインダー光学系のレンズ構成を示す光軸に沿う断面図であり、（ａ）は広角端、（ｂ）は中間、（ｃ）は望遠端での状態を示している。図２１は第１０実施例における球面収差、非点収差、倍率色収差及び歪曲収差を示す図であり、（ａ）は広角端、（ｂ）は中間、（ｃ）は望遠端での状態を示している。
【００７１】
本実施例のファインダー光学系は、図２０に示すように、中間像を結像する対物光学系Ｌｏと接眼光学系Ｌｉを有して構成されている。
対物光学系Ｌｏは、物体側から順に、第１レンズ群Ｇｏ１と、第２レンズ群Ｇｏ２と、第３レンズ群Ｇｏ３と、第４レンズ群Ｇｏ４とで構成されている。
第１レンズ群Ｇｏ１は、図２に示すような反射面ｒｏ１１を一つ有する光学部材ｒｏ１で構成されており、全体で負のパワーを有している。
第２レンズ群Ｇｏ２は、物体側に凸面を向けた正メニスカスレンズＬｏ２’構成されている。正メニスカスレンズＬｏ２’は、変倍のために可動に構成されている。
第３レンズ群Ｇｏ３は、両凸正レンズＬｏ３で構成されている。
第４レンズ群Ｇｏ４は、図２に示すような反射面ｒｏ２１を一つ有する光学部材ｒｏ２で構成されている。光学部材ｒｏ２は、正のパワーを有している。
接眼光学系Ｌｉは、中間像Ｉｃと瞳Ｅとの間に設けられていて、中間像側から順に、第１レンズ群Ｇ１と、第２レンズ群Ｇ２とで構成されている。
第１レンズ群Ｇ１は、中間像側から順に配置された中間像側に凹面を向けた負メニスカスレンズＬ１１と中間像側に凹面を向けた正メニスカスレンズＬ１２’との接合レンズで構成されており、全体で正のパワーを有している。
負メニスカスレンズＬ１１と正メニスカスレンズＬ１２’との接合レンズは、光軸方向に移動して視度調整を行う視度調整光学系を構成している。
第２レンズ群Ｇ２は、光路折り曲げプリズムＰで構成されており、全体で正のパワーを有している。
光路折り曲げプリズムＰは、図２に示すような２つの反射面Ｐ１，Ｐ２を有しており、接眼光学系Ｌｉ内における光路を２回折り曲げている。
【００７２】
次に、本実施例にかかるファインダー光学系を構成している光学部材の数値データを示す。
2004157477.tif 000025
【００７３】
2004157477.tif 000026
2004157477.tif 000027
【００７４】
第１１実施例
図２２は本発明の第１１実施例にかかる接眼光学系を用いた実像式ファインダー光学系のレンズ構成を示す光軸に沿う断面図であり、（ａ）は広角端、（ｂ）は中間、（ｃ）は望遠端での状態を示している。
【００７５】
本実施例のファインダー光学系は、図２２に示すように、中間像を結像する対物光学系Ｌｏと接眼光学系Ｌｉを有して構成されている。
対物光学系Ｌｏは、物体側から順に、第１レンズ群Ｇｏ１と、第２レンズ群Ｇｏ２と、第３レンズ群Ｇｏ３と、第４レンズ群Ｇｏ４とで構成されている。
第１レンズ群Ｇｏ１は、図２に示すような反射面ｒｏ１１を一つ有する光学部材ｒｏ１で構成されており、全体で負のパワーを有している。
第２レンズ群Ｇｏ２は、両凸正レンズＬｏ２で構成されている。両凸正レンズＬｏ２は、変倍のために可動に構成されている。
第３レンズ群Ｇｏ３は、両凸正レンズＬｏ３で構成されている。
第４レンズ群Ｇｏ４は、図２に示すような反射面ｒｏ２１を一つ有する光学部材ｒｏ２で構成されている。光学部材ｒｏ２は、正のパワーを有している。
接眼光学系Ｌｉは、中間像Ｉｃと瞳Ｅとの間に設けられていて、中間像側から順に、第１レンズ群Ｇ１と、第２レンズ群Ｇ２とで構成されている。
第１レンズ群Ｇ１は、中間像側から順に、両凹負レンズＬ１１’と、中間像側に凹面を向けた正メニスカスレンズＬ１２’とで構成されており、全体で正のパワーを有している。
両凹負レンズＬ１１’と正メニスカスレンズＬ１２’は、光軸方向に移動して視度調整を行う視度調整光学系を構成している。
また、正メニスカスレンズＬ１２’は、瞳側の面が回折光学面（ここでは、ＤＯＥ面）で構成されている。
第２レンズ群Ｇ２は、光路折り曲げプリズムＰで構成されており、全体で正のパワーを有している。
光路折り曲げプリズムＰは、図２に示すような２つの反射面Ｐ１，Ｐ２を有しており、接眼光学系Ｌｉ内における光路を２回折り曲げている。
【００７６】
次に、本実施例にかかる接眼光学系を構成している光学部材の数値データを示す。
2004157477.tif 000028
2004157477.tif 000029
【００７７】
2004157477.tif 000030
2004157477.tif 000031
【００７８】
第１２実施例
図２３は本発明の第１２実施例にかかる接眼光学系を用いた実像式ファインダー光学系のレンズ構成を示す光軸に沿う断面図であり、（ａ）は広角端、（ｂ）は中間、（ｃ）は望遠端での状態を示している。図２４は第１２実施例における球面収差、非点収差、倍率色収差及び歪曲収差を示す図であり、（ａ）は広角端、（ｂ）は中間、（ｃ）は望遠端での状態を示している。
【００７９】
図２３に示すように、本実施例のファインダー光学系は、中間像を結像する対物光学系Ｌｏと接眼光学系Ｌｉを有して構成されている。
対物光学系Ｌｏは、物体側から順に、第１レンズ群Ｇｏ１と、第２レンズ群Ｇｏ２と、第３レンズ群Ｇｏ３と、第４レンズ群Ｇｏ４とで構成されている。
第１レンズ群Ｇｏ１は、図２に示すような反射面ｒｏ１１を一つ有する光学部材ｒｏ１で構成されており、全体で負のパワーを有している。
第２レンズ群Ｇｏ２は、両凸正レンズＬｏ２で構成されている。両凸正レンズＬｏ２は、変倍のために可動に構成されている。
第３レンズ群Ｇｏ３は、両凸正レンズＬｏ３で構成されている。
第４レンズ群Ｇｏ４は、図２に示すような反射面ｒｏ２１を一つ有する光学部材ｒｏ２で構成されている。光学部材ｒｏ２は、正のパワーを有している。
接眼光学系２は、中間像Ｉｃと瞳Ｅとの間に設けられていて、中間像側から順に、第１レンズ群Ｇ１と、第２レンズ群Ｇ２とで構成されている。
第１レンズ群Ｇ１は、中間像側から順に、中間像側に凹面を向けた負メニスカスレンズＬ１１と、中間像側に凹面を向けた正メニスカスレンズＬ１２’と、中間像側に凹面を向けた負メニスカスレンズＬ１３’とで構成されており、全体で正のパワーを有している。
負メニスカスレンズＬ１１と、正メニスカスレンズＬ１２’と、負メニスカスレンズＬ１３’は、光軸方向に移動して視度調整を行う視度調整光学系を構成している。
第２レンズ群Ｇ２は、光路折り曲げプリズムＰで構成されており、全体で正のパワーを有している。
光路折り曲げプリズムＰは、図２に示すような２つの反射面Ｐ１，Ｐ２を有しており、接眼光学系Ｌｉ内における光路を２回折り曲げている。
【００８０】
次に、本実施例にかかる接眼光学系を構成している光学部材の数値データを示す。
2004157477.tif 000032
2004157477.tif 000033
【００８１】
2004157477.tif 000034
2004157477.tif 000035
【００８２】
次に、上記各実施例における条件式の構成パラメータの値及びその他の設計値を下記の表１〜表４に示す。
表１
2004157477.tif 000036
【００８３】
表２
2004157477.tif 000037
【００８４】
表３
2004157477.tif 000038
【００８５】
表４
2004157477.tif 000039
【００８６】
以上説明したように、本発明の接眼光学系、その接眼光学系を用いたファインダー光学系及びそのファインダー光学系を用いた撮像装置は、特許請求の範囲に記載された発明の他に、次に示すような特徴も備えている。
【００８７】
（１）中間像から第２番目のレンズが正のパワーを有することを特徴とする請求項１〜３のいずれかに記載の接眼光学系。
【００８８】
（２）次の条件式を満足することを特徴とする上記（１）に記載の接眼光学系。
０＜ｓｆ２＜２０
但し、ｓｆ２は前記中間像から第２番目のレンズのシェイピングファクターであってｓｆ２＝（ｒ２１＋ｒ２２）／（ｒ２１−ｒ２２）で示される。ｒ２１は前記中間像から第２番目のレンズにおける中間像側の面の曲率半径、ｒ２２は前記中間像から第２番目のレンズにおける瞳側の面の曲率半径である。
【００８９】
（３）前記第１レンズ群が前記最も中間像側のレンズと、前記中間像から第２番目のレンズを含み、これらのレンズが光軸方向に移動して視度調整を行う視度調整光学系であることを特徴とする上記（１）又は（２）に記載の接眼光学系。
【００９０】
（４）前記最も中間像側のレンズと前記中間像から第２番目のレンズとが接合されて接合レンズとして構成されていることを特徴とする上記（１）〜（３）のいずれかに記載の接眼光学系。
【００９１】
（５）前記中間像から第２番目のレンズの瞳側に回折面を有することを特徴とする上記（１）〜（４）のいずれかに記載の接眼光学系。
【００９２】
（６）接眼光学系内での光路の折り曲げ回数が２回であることを特徴とする請求項１〜３、上記（１）〜（５）のいずれかに記載の接眼光学系。
【００９３】
（７）次の条件式を満足することを特徴とする請求項１〜３、上記（１）〜（６）のいずれかに記載の接眼光学系を用いた実像式ファインダー光学系。
６＜ｌｅ／ｃｈ＜１０
但し、ｌｅは接眼光学系のアイレリーフ、ｃｈは中間像高である。
【００９４】
（８）中間像を結像する対物光学系と、上記請求項１〜３、上記（１）〜（７）のいずれかに記載の接眼光学系を有し、前記対物光学系の最も中間像側のレンズが正のパワーを有する実像式ファインダー光学系。
【００９５】
（９）前記対物光学系が、少なくとも、負のパワーを有し一面の反射面を有する第１レンズ群と、変倍のために可動で正のパワーを有する第２レンズ群とを有し、最も中間像側の最終群が正のパワーを有し一面の反射面を有することを特徴とする請求項１〜３、上記（１）〜（８）のいずれかに記載の接眼光学系を用いた実像式変倍ファインダー光学系。
【００９６】
（１０）前記ファインダー光学系が、撮影光学系として用いられる前記対物光学系を介して結像された被写体の実像を観察するＴＴＬファインダー光学系であって、次の条件式を満足することを特徴とする請求項１〜３、上記（１）〜（６）のいずれかに記載のファインダー光学系。
０．５＜ｃｈ＜２．６
但し、ｃｈは中間像高である。
【００９７】
（１１）上記（８）〜（１０）のいずれかに記載のファインダー光学系を用いた撮像装置。
【００９８】
（１２）ファインダーにおける中間像位置と瞳位置との間に設けられる接眼光学系であって、中間像側から順に、最も中間像側に負レンズを配置した第１レンズ群と、光路折り曲げ光学部材を含み全体で正のパワーを有する第２レンズ群とで構成され、かつ、次の条件式を満足することを特徴とする接眼光学系。
−１２＜ｓｆ１＜０
ｓｆ１＝（ｒ１１＋ｒ１２）／（ｒ１１−ｒ１２）
但し、ｓｆ１は前記負レンズのシェイピングファクターであってｓｆ１＝（ｒ１１＋ｒ１２）／（ｒ１１−ｒ１２）で示される。ｒ１１は前記負レンズにおける中間像側の面の曲率半径、ｒ１２は前記負レンズにおける瞳側の面の曲率半径である。
【００９９】
（１３）ファインダーにおける中間像位置と瞳位置との間に設けられる接眼光学系であって、中間像側から順に、最も中間像側に負レンズを配置した第１レンズ群と、光路折り曲げ光学部材を含み全体で正のパワーを有する第２レンズ群とで構成され、かつ、次の条件式を満足することを特徴とする接眼光学系。
−５＜ｓｆ１＜０
但し、ｓｆ１は前記負レンズのシェイピングファクターであってｓｆ１＝（ｒ１１＋ｒ１２）／（ｒ１１−ｒ１２）で示される。ｒ１１は前記負レンズにおける中間像側の面の曲率半径、ｒ１２は前記負レンズにおける瞳側の面の曲率半径である。
【０１００】
（１４）次の条件式を満足することを特徴とする請求項１に記載の接眼光学系。
０．５＜ｆｅ／ｌｅ＜１
但し、ｆｅは接眼光学系の焦点距離、ｌｅは接眼光学系のアイレリーフである。
【０１０１】
（１５）次の条件式を満足することを特徴とする請求項１に記載の接眼光学系。
０．７＜ｆｅ／ｌｅ＜１
但し、ｆｅは接眼光学系の焦点距離、ｌｅは接眼光学系のアイレリーフである。
【０１０２】
（１６）前記第１レンズ群を構成する少なくとも一つのレンズが、光軸方向に移動して視度調整を行う視度調整光学系であり、かつ、次の条件式を満足することを特徴とする請求項１又は２に記載の接眼光学系。
０．１＜｜ｐｄ／ｐｅ｜＜０．５
但し、ｐｄは視度調整光学系のパワー、ｐｅは接眼光学系全系のパワーである。
【０１０３】
（１７）前記第１レンズ群を構成する少なくとも一つのレンズが、光軸方向に移動して視度調整を行う視度調整光学系であり、かつ、次の条件式を満足することを特徴とする請求項１又は２に記載の接眼光学系。
０．１＜｜ｐｄ／ｐｅ｜＜０．３
但し、ｐｄは視度調整光学系のパワー、ｐｅは接眼光学系全系のパワーである。
【０１０４】
（１８）次の条件式を満足することを特徴とする上記（１）に記載の接眼光学系。
０＜ｓｆ２＜１５
ｓｆ２＝（ｒ２１＋ｒ２２）／（ｒ２１−ｒ２２）
但し、ｓｆ２は前記中間像から第２番目のレンズのシェイピングファクター、ｒ２１は前記中間像から第２番目のレンズにおける中間像側の面の曲率半径、ｒ２２は前記中間像から第２番目のレンズにおける瞳側の面の曲率半径である。
【０１０５】
（１９）次の条件式を満足することを特徴とする上記（１）に記載の接眼光学系。
０＜ｓｆ２＜３
ｓｆ２＝（ｒ２１＋ｒ２２）／（ｒ２１−ｒ２２）
但し、ｓｆ２は前記中間像から第２番目のレンズのシェイピングファクター、ｒ２１は前記中間像から第２番目のレンズにおける中間像側の面の曲率半径、ｒ２２は前記中間像から第２番目のレンズにおける瞳側の面の曲率半径である。
【０１０６】
（２０）次の条件式を満足することを特徴とする請求項１〜３、上記（１）〜（６）のいずれかに記載の接眼光学系を用いた実像式ファインダー光学系。
６＜ｌｅ／ｃｈ＜９
但し、ｌｅは接眼光学系のアイレリーフ、ｃｈは中間像高である。
【０１０７】
（２１）次の条件式を満足することを特徴とする請求項１〜３、上記（１）〜（６）のいずれかに記載の接眼光学系を用いた実像式ファインダー光学系。
６．５＜ｌｅ／ｃｈ＜７．７
但し、ｌｅは接眼光学系のアイレリーフ、ｃｈは中間像高である。
【０１０８】
【発明の効果】
本発明によれば、光学性能を維持しながら、アイレリーフを保ったまま焦点距離を短くすることができ、小型、薄型化に寄与しうる接眼光学系、それを用いたファインダー光学系、及びそれを用いた撮像装置を提供することができる。
【図面の簡単な説明】
【図１】本発明の接眼光学系を用いた一眼レフファインダー光学系の概略構成を示す説明図である。
【図２】本発明の接眼光学系を用いた実像式ファインダー光学系の概略構成を示す説明図である。
【図３】本発明の第１実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。
【図４】第１実施例における−１ｄｐでの球面収差、非点収差、倍率色収差及び歪曲収差を示す図である。
【図５】本発明の第２実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。
【図６】第２実施例における−１ｄｐでの球面収差、非点収差、倍率色収差及び歪曲収差を示す図である。
【図７】本発明の第３実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。
【図８】第３実施例における−１ｄｐでの球面収差、非点収差、倍率色収差及び歪曲収差を示す図である。
【図９】本発明の第４実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。
【図１０】本発明の第５実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。
【図１１】第５実施例における−１ｄｐでの球面収差、非点収差、倍率色収差及び歪曲収差を示す図である。
【図１２】本発明の第６実施例にかかる一眼レフカメラ用ファインダー光学系に用いる接眼光学系のレンズ構成を示す光軸に沿う断面図であり、（ａ）は−１ｄｐ、（ｂ）は−３ｄｐ、（ｃ）は＋１ｄｐでの状態を示している。
【図１３】第６実施例における−１ｄｐでの球面収差、非点収差、倍率色収差及び歪曲収差を示す図である。
【図１４】本発明の第７実施例にかかる接眼光学系を用いた実像式ファインダー光学系のレンズ構成を示す光軸に沿う断面図であり、（ａ）は広角端、（ｂ）は中間、（ｃ）は望遠端での状態を示している。
【図１５】第７実施例における球面収差、非点収差、倍率色収差及び歪曲収差を示す図であり、（ａ）は広角端、（ｂ）は中間、（ｃ）は望遠端での状態を示している。
【図１６】本発明の第８実施例にかかる接眼光学系を用いた実像式ファインダー光学系のレンズ構成を示す光軸に沿う断面図であり、（ａ）は広角端、（ｂ）は中間、（ｃ）は望遠端での状態を示している。
【図１７】第８実施例における球面収差、非点収差、倍率色収差及び歪曲収差を示す図であり、（ａ）は広角端、（ｂ）は中間、（ｃ）は望遠端での状態を示している。
【図１８】本発明の第９実施例にかかる接眼光学系を用いた実像式ファインダー光学系のレンズ構成を示す光軸に沿う断面図であり、（ａ）は広角端、（ｂ）は中間、（ｃ）は望遠端での状態を示している。
【図１９】第９実施例における球面収差、非点収差、倍率色収差及び歪曲収差を示す図であり、（ａ）は広角端、（ｂ）は中間、（ｃ）は望遠端での状態を示している。
【図２０】本発明の第１０実施例にかかる接眼光学系を用いた実像式ファインダー光学系のレンズ構成を示す光軸に沿う断面図であり、（ａ）は広角端、（ｂ）は中間、（ｃ）は望遠端での状態を示している。
【図２１】第１０実施例における球面収差、非点収差、倍率色収差及び歪曲収差を示す図であり、（ａ）は広角端、（ｂ）は中間、（ｃ）は望遠端での状態を示している。
【図２２】本発明の第１１実施例にかかる接眼光学系を用いた実像式ファインダー光学系のレンズ構成を示す光軸に沿う断面図であり、（ａ）は広角端、（ｂ）は中間、（ｃ）は望遠端での状態を示している。
【図２３】本発明の第１２実施例にかかる接眼光学系を用いた実像式ファインダー光学系のレンズ構成を示す光軸に沿う断面図であり、（ａ）は広角端、（ｂ）は中間、（ｃ）は望遠端での状態を示している。
【図２４】第１２実施例における球面収差、非点収差、倍率色収差及び歪曲収差を示す図であり、（ａ）は広角端、（ｂ）は中間、（ｃ）は望遠端での状態を示している。
【符号の説明】
Ｅ            瞳
Ｇ１          第１レンズ群
Ｇ２          第２レンズ群
Ｇｏ１        第１群
Ｇｏ２        第２群
Ｇｏ３        第３群
Ｇｏ４        第４群
Ｉｃ          中間結像面
Ｉ            撮像面
Ｌ１１        負メニスカスレンズ
Ｌ１１’      両凹負レンズ
Ｌ１２        両凸正レンズ
Ｌ１２’      正メニスカスレンズ
Ｌ２１        正メニスカスレンズ
Ｌ１３        正メニスカスレンズ
Ｌ１３’      負メニスカスレンズ
Ｌ２１        正メニスカスレンズ
Ｌｉ          接眼光学系
Ｌｏ          対物光学系
Ｌｏ１        光学系
Ｐ            光路折り曲げプリズム
Ｐ１，Ｐ２    反射面
Ｐ’          ペンタダハプリズム
ｒｏ１        光学部材
ｒｏ１１        反射面
ｒｏ２        分光手段
ｒｏ２１        光路分割面
【図１】
2004157477.tif 000040
【図２】
2004157477.tif 000041
【図３】
2004157477.tif 000042
【図４】
2004157477.tif 000043
【図５】
2004157477.tif 000044
【図６】
2004157477.tif 000045
【図７】
2004157477.tif 000046
【図８】
2004157477.tif 000047
【図９】
2004157477.tif 000048
【図１０】
2004157477.tif 000049
【図１１】
2004157477.tif 000050
【図１２】
2004157477.tif 000051
【図１３】
2004157477.tif 000052
【図１４】
2004157477.tif 000053
【図１５】
2004157477.tif 000054
【図１６】
2004157477.tif 000055
【図１７】
2004157477.tif 000056
【図１８】
2004157477.tif 000057
【図１９】
2004157477.tif 000058
【図２０】
2004157477.tif 000059
【図２１】
2004157477.tif 000060
【図２２】
2004157477.tif 000061
【図２３】
2004157477.tif 000062
【図２４】
2004157477.tif 000063